(57)【特許請求の範囲】
【請求項１】
波形鋼板ウエブを用いたＰＣ箱桁橋の架設に当り、波形鋼板を補強する補強骨組及び下床版コンクリート型枠を備えた波形鋼板ブロックを用い、これを製作ヤードで順次連結して、押出架設フレームを組立て、該押出架設フレームを押出して単径間又は多径間に架設し、架設完了後、各径間ごとに、前記下床版コンクリート型枠内にコンクリートを打設してプレストレスを導入し、次いで上床版コンクリート型枠担持台車を前記押出架設フレーム上に載設し、上床版コンクリートの打設及びプレストレス導入を行い、さらに橋体全体に最終的なプレストレスを付与することを特徴とする押出架設方法。
【発明の詳細な説明】
【技術分野】
【０００１】
本発明は、波形鋼板ウエブを用いたＰＣ箱桁橋の押出架設方法に関する。
【背景技術】
【０００２】
ＰＣ橋の押出架設工法は、桁下空間を全く利用しないでよいと言う利点があり、跨線橋、跨道橋などの他、ベントを建てることが困難な山岳渓谷地の橋梁の架設などに有効な工法である。
【０００３】
しかし、一方で、次のような短所を有している。
（１）重量の大きいコンクリート桁を押し出すため、押出設備が過大になる。
（２）押出中の桁は、正負交番する曲げモーメントを受けるため、ＰＣ鋼材配置をほぼ軸力に近い配置とする必要があり、ＰＣ鋼材の偏心配置による曲げ耐力向上効果を発揮することができない。
（３）また、他の工法に比べて支間に対する桁高の比が大きくなる。
【０００４】
従って、他の工法に比し橋梁が経済性の面で不利になるという問題がある。
【０００５】
コンクリートブロックを連結して押出し橋梁を施工する技術がある（例えば、特許文献１参照。）。この技術は桁高より桁幅のコンクリートブロックを幅方向を上下にした状態で押出す技術である。
【０００６】
また、プレストレストコンクリート橋の押出し架設工法で橋桁に生ずる曲げ応力に抵抗する橋桁支持構造を用いる技術がある（例えば、特許文献２参照。）。
【０００７】
この技術は斜長橋など押出工程で仮設斜材の引張力が複雑に変動してアンバランスが生ずるのを解消する技術である。
【０００８】
また、ジャッキと引張鋼材等による反力集中方式の押出し工法において、引張鋼材が主桁製作ヤードの前方に大きく垂れ下がるのを解消する技術がある（例えば、特許文献３参照。）。
【０００９】
以上の従来技術は、通常の箱型コンクリート橋の押出架設工法であるが、これらに対し、波形鋼板をウエブとする鋼・コンクリート複合ＰＣ構造の橋の押出架設する技術がある（例えば、特許文献４参照。）。
【００１０】
この技術は、コンクリート上下床版と鋼板ウエブとからなる複合ＰＣ橋を、押出位置に設置した１ブロック分の型枠内で製作して押出すもので、押出したブロックから後方の型枠内に緊張したＰＣ鋼材を張設し、プテンションを付与したブロックを製造し、これを順次押出す技術である。
【特許文献１】特開昭６３−２６１００５号公報（第２−３頁、図７）
【特許文献２】特開２０００−１４４６３７号公報（第２−３頁、図１）
【特許文献３】特開２００３−１３８５２２号公報（第２−４頁、図１）
【特許文献４】特開２００４−１９１２６号公報（第２−３頁、図４）
【発明の開示】
【発明が解決しようとする課題】
【００１１】
本発明は上記特許文献４に示す技術と同様な波形鋼板ウエブを用いたＰＣ箱桁橋の押出架設方法であるが、特許文献４とは全く異なる技術であって、押出しの段階では軽量な鋼構造骨組とし、これを径間に架設後、上下床版コンクリートの打設を行う波形鋼板ウエブを用いたＰＣ箱桁橋の押出架設工法を提供することを目的とするものである。
【課題を解決するための手段】
【００１２】
本発明は、上記問題点を解決するためになされたもので、次の技術手段を講じたことを特徴とする押出架設方法である。すなわち、本発明は、波形鋼板ウエブを用いたＰＣ箱桁橋の架設に当り、波形鋼板を補強する補強骨組及び下床版コンクリート型枠を備えた波形鋼板ブロックを用い、これを製作ヤードで順次連結して、押出架設フレームを組立て、該押出架設フレームを押出して単径間又は多径間に架設し、架設完了後、各径間ごとに、前記下床版コンクリート型枠内にコンクリートを打設してプレストレスを導入し、次いで上床版コンクリート型枠担持台車を前記押出架設フレーム上に載設し、上床版コンクリートの打設及びプレストレス導入を行い、さらに橋体全体に最終的なプレストレスを付与することを特徴とする押出架設方法である。
ここで、補強骨組とは、波形鋼板を鋼構造骨組の押出架設フレームとして押出架設することができるように、波形鋼板を補強する部材からなる構造を云い、例えば、波形鋼板の上端をつなぐ補強材と、これを補強するブレス等からなるものである。
また、上床版コンクリート型枠担持台車は、下床版コンクリートを打設してプレストレスを導入した押出架設フレーム上を走行する簡易な作業台車であって、上床版コンクリートを打設するための型枠を担持する移動台車である。
【００１３】
本発明は従来のＰＣ橋の押出架設工法の利点をそのまま踏襲し、その短所をすべて改善した新規な架橋工法を提供するものである。
【発明の効果】
【００１４】
本発明によれば、従来のＰＣ橋の押出架設工法に比べて、
（１）押出架設時の橋体が押出架設フレームのみとなるので、押出橋体の荷重が圧倒的に軽量化される。
（２）押出架設フレームが連続桁状態になってからコンクリート打設しＰＣ鋼材を緊張することができるため、ＰＣ鋼材の偏心効果（曲げ上げによる効果）を有効に利用することができる。
（３）さらに、従来より桁高を低くすることができ、また、長大な径間の押出施工が可能となる。
（４）以上の結果、経済的な橋梁建設が可能となる。
という優れた効果を奏する。
【発明を実施するための最良の形態】
【００１５】
本発明は、例えば、従来の完全断面のＰＣ箱桁の押出架設と、鋼桁のみ押出し、移動支保工によって床版の施工を行う技術とを巧妙に組合せることによって、両者の利点を網羅し短所をなくし、大幅な作用効果の増大を図ったものである。なお、下床版コンクリートの施工は、ＰＣ合成床版施工技術を応用した。
【００１６】
以下図面を参照して本発明の実施の形態を説明する。
【００１７】
図２（ａ）は本発明に用いる波形鋼板ブロック１０の正面図である。複数列（図では左右２列）の波形鋼板ウエブ１１は上下端にそれぞれ鋼フランジ１２、１３を備えている。複数列の波形鋼板ウエブ１１は、その上端をつなぐ補強材２１とこれを補強するブレス２２とから成る補強骨組によって補強されている。また波形鋼板ウエブ１１の下端は下フランジ１３と結合されたプレストレストコンクリート（ＰＣ）版によって連結されている。このＰＣ版２３は下床版コンクリート打設時の型枠となるものである。
【００１８】
図２（ｂ）は下床版コンクリート２４を打設した状態を示している。ＰＣ版２３上に下床版コンクリート２４が打設されＰＣ版２３と打設コンクリートとの合成下床版が形成される。
【００１９】
図２（ｃ）は上床版コンクリート３１を施工した後の波形鋼板ウエブ橋３０の横断面図（正面図）である。上床版コンクリート３１は上床版コンクリート型枠担持台車、例えば、ワーゲン型の作業台車又は簡易型枠保持移動台車に吊下された型枠内に打設されたものである。上床版コンクリートはＰＣ緊張材３２によってプレストレスを導入され、連接する上床版同士が一体化されている。なお、図２（ｃ）では図２（ａ）に示されている補強材２１、２２などの補強骨組は取外されている。
【００２０】
次に図１（ａ）〜図１（ｇ）に従って、本発明の実施例について説明する。
【００２１】
図１（ａ）〜（ｇ）は本発明の実施例の押出架設方法を示す説明図（工程図）である。
（１）図１（ａ）に示すように、製作ヤード４０で波形鋼板ブロック１０を順次連結して押出架設フレーム１５を組立てる。このとき図２（ａ）に示すように、補強骨組として波形鋼板の上端をつなぐ補強材２１、ブレス２２を取付け、下床版コンクリート型枠となるＰＣ版２３を下フランジ１３に取付ける。長手方向に隣接する波形鋼板１０の鋼フランジ１２、１３は、それぞれ隣接鋼フランジと高力ボルトまたは溶接によって接続し、押出施工時の押出架設フレーム１５の長手方向の曲げに対して十分に抵抗できるようにする。押出架設フレーム１５の先端に手延桁４１が取付けられる。
（２）この状態で、図１（ｂ）に示すように矢印４２方向に押出架設フレーム１５を前進させ押出架設を行う。
（３）上記を繰り返し、図１（ｃ）に示すように、橋脚５０ａ〜５０ｄ上に押出架設フレーム１５の押出架設を完了する。以上の段階までは押出架設フレーム１５の各波形鋼板ブロック１０は図２（ａ）に示す状態となっている。
（４）図１（ｄ）に示すように、横桁２５および下床版コンクリート２４を打設し、必要な箇所にプレストレス導入２６を行う。上述の図２（ｂ）はこの段階の波形鋼板ブロック１０の断面を示している。
（５）上床版コンクリート３１を打設する。上床版のみを施工すればよいので、鋼板桁の床版施工に用いる簡易な作業台車などを用いることができる。橋梁規模に応じて上床版コンクリート３１を図１（ｅ）、図１（ｆ）に示すように分割打設することも任意である。打設した上床版コンクリート３１には順次プレストレスを導入する。この結果、波形鋼板ブロック１０は図２（ｃ）に示す状態となる。
（６）最終的に図１（ｇ）に示すように、曲げ上げ鋼材６０に必要なプレストレスを付与する。
【００２２】
本発明の波形鋼板を用いたＰＣ箱桁橋の押出架設方法では、波形鋼板と下床版型枠用のＰＣ版のみを製作ヤードで組立てて、押出架設フレームを形成し、この軽量な押出架設フレームを押出架設する。本発明の方法によれば、従来技術に比べて、押出時の橋体の荷重が圧倒的に軽量化される。例えば、押出時の橋体の荷重は従来のＰＣ箱桁に比べ大略１／５〜１／６程度となる。
【００２３】
押出架設フレームが連続桁状態になった押出架設フレームに。下床版コンクリートの打設及び上床版コンクリートの打設を順次行うので、コンクリート荷重は連続桁に支持され、また、施工も容易である。さらに、ＰＣ鋼材を曲げ上げ形状に配設して緊張することができるため、ＰＣ鋼材の偏心効果を有効に利用することができ、経済的な橋梁建設が可能となる。
【００２４】
例えば、適用径間長は従来のＰＣ箱桁における３０〜５０ｍ程度に比べ、６０〜７０ｍ程度まで拡大することが可能であり、また桁高支間比（Ｈ／Ｌ）は従来のＰＣ箱桁におけるＨ／Ｌ＝１／１６程度に比べ、Ｈ／Ｌ＝１／２０程度まで縮小することが可能である。
【図面の簡単な説明】
【００２５】
【図１（ａ）】実施例の工程説明図である。
【図１（ｂ）】実施例の工程説明図である。
【図１（ｃ）】実施例の工程説明図である。
【図１（ｄ）】実施例の工程説明図である。
【図１（ｅ）】実施例の工程説明図である。
【図１（ｆ）】実施例の工程説明図である。
【図１（ｇ）】実施例の工程説明図である。
【図２（ａ）】施工段階に応じた波形鋼板ブロックの断面形状を示す図である。
【図２（ｂ）】施工段階に応じた波形鋼板ブロックの断面形状を示す図である。
【図２（ｃ）】施工段階に応じた波形鋼板ブロックの断面形状を示す図である。
【符号の説明】
【００２６】
１０    波形鋼板ブロック
１１    波形鋼板ウエブ
１２、１３    鋼フランジ
１５    押出架設フレーム
２１    補強材
２２    ブレス
２３    ＰＣ版
２４    下床版コンクリート
２５    横桁
２６    プレストレス導入
３０    波形鋼板ウエブ橋
３１    上床版コンクリート
３２    ＰＣ緊張材
４０    製作ヤード
４１    手延桁
４２    矢印
５０ａ〜５０ｄ    橋脚
６０    曲げ上げ鋼材
【要約】
【課題】押出の段階では軽量な鋼構造骨組とし、径間に架設後上下床版コンクリートの打設を行う、波形鋼板ウエブを用いた押出架設工法を提供する。
【解決手段】波形鋼板を補強する補強骨組み及び下床版コンクリート型枠を備えた押出架設フレーム１５を製作ヤード４０で組立て、押出架設フレーム１５を順次連結して橋脚間に押出し架設を行い、押出完了後前記押出架設フレーム１５に下床版コンクリートを打設し、プレストレスを導入し、次いで、上床版コンクリート３１の打設及びプレストレス導入を行い、さらに橋体全体に最終的なプレストレスを付与する。
【選択図】        図１
【図１（ａ）】
0003720837.tif 000002
【図１（ｂ）】
0003720837.tif 000003
【図１（ｃ）】
0003720837.tif 000004
【図１（ｄ）】
0003720837.tif 000005
【図１（ｅ）】
0003720837.tif 000006
【図１（ｆ）】
0003720837.tif 000007
【図１（ｇ）】
0003720837.tif 000008
【図２（ａ）】
0003720837.tif 000009
【図２（ｂ）】
0003720837.tif 000010
【図２（ｃ）】
0003720837.tif 000011